(57)【特許請求の範囲】
【請求項１】
汚染物質で汚染された人体を、除染部を構成するテント内でオゾン水により除染する除染システムであって、
前記除染部を構成するテント内に、前記オゾン水を複数箇所から吐出可能なシャワー配管と、水受と、すのことを備え、
該シャワー配管に付設したシャワーにより、該オゾン水を掛けることにより、前記汚染物質で汚染された人体を除染するように構成し、
前記除染部を構成するテントには、人体の背丈よりも高い天井部分に空気を給気する給気孔を形成するとともに、該テントの側面下部の、人体の足元部に排気孔を形成し、
該排気孔にはそれぞれ排気ファンを設け、該テント内において下方向の気流を発生させ、
通常は気散しないオゾン水からのオゾンガスが、仮にテント内において気散した場合においても、前記人体が鼻や口から吸引することのないように、該テント内で下方向の気流を発生させるともに、テント内のオゾンガスをテント外に排気すべく構成し、
該排気孔と排気ファンの経路には、それぞれオゾン分解触媒を配置し、前記排気孔から排気されるオゾンガスを酸素に戻し、
該シャワーから吐出されて除染に用いられたオゾン水は水受に集められ、該水受に開口した排水孔からオゾン水再生経路へ排水するように構成した
ことを特徴とする除染システム。
【請求項２】
請求項１に記載の除染システムにおいて、前記水受は、該テント内の下部に配置し、該水受上にすのこを載置し、該テント内において、前記すのこ上に汚染物質で汚染された人が立った状態で人体の除染を行い、除染に用いたオゾン水は、該すのこを通って下方の水受側に流れ、前記除染に用いられ、前記水受で集められ排水孔から排出されたオゾン水を、再度除染システムに使用するオゾン水再生経路に、再生部を備えたことを特徴とする除染システム。
【請求項３】
請求項１または請求項２に記載の除染システムにおいて、前記除染システムに使用されるオゾン水に促進酸化処理をおこなう、促進酸化処理部を備えたことを特徴とする除染システム。
【発明の詳細な説明】
【技術分野】
【０００１】
本発明は、種々の汚染物質で汚染された人体を除染する除染システムの技術に関する。    
【背景技術】
【０００２】
従来、種々の汚染物質で汚染された人体を除染する除染システムに関する技術は公知となっている。前記種々の汚染物質には、例えば、ＮＢＣ（ｎｕｃｌｅａｒ、ｂｉｏｌｏｇｉｃａｌ、ｃｈｅｍｉｃａｌ）物質がある。Ｎ（ｎｕｃｌｅａｒ）物質による汚染には、核兵器や原発事故等による放射能汚染がある。Ｂ（ｂｉｏｌｏｇｉｃａｌ）物質による汚染には、生物兵器による天然痘ウイルスや炭素菌等の汚染がある。Ｃ（ｃｈｅｍｉｃａｌ）物質による汚染には、化学兵器によるサリンやマスタードガス等の汚染がある。このような除染システムでは、テント内に配置されたシャワーから吐出される水を掛けることによって汚染物質で汚染された人体を除染する（特許文献１参照）。つまり、このような除染システムでは、水の水流によって汚染物質を人体から剥離するように洗い流して除染する。
【先行技術文献】
【特許文献】
【０００３】
【特許文献１】特開２００２−２５０７９３号公報
【発明の概要】
【発明が解決しようとする課題】
【０００４】
しかしながら、このような除染システムでは、汚染物質で汚染された人体を確実に除染するためには、長時間に亙って水を人体に掛け続けることを要し、また、強い水流の水をシャワーから吐出させる必要があった。また、このような除染システムでは、除染に用いた水の排水を処理するにあたって、当該排水に含まれる汚染物質を、目の細かいフィルタでろ過し、消毒剤で殺菌し、また、分解液で分解する等のことがおこなわれていた。
【０００５】
本発明は、以上の如き状況に鑑みてなされたものであり、水によって除染するものに比べて、汚染物質で汚染された人体を容易に除染することができるとともに、排水の処理を容易におこなうことができる、除染システムを提供することを課題とする。
【課題を解決するための手段】
【０００６】
本発明の解決しようとする課題は以上の如くであり、次にこの課題を解決するための手段を説明する。
【０００７】
請求項１においては、汚染物質で汚染された人体を、除染部を構成するテント内でオゾン水により除染する除染システムであって、前記除染部を構成するテント内に、前記オゾン水を複数箇所から吐出可能なシャワー配管と、水受と、すのことを備え、該シャワー配管に付設したシャワーにより、該オゾン水を掛けることにより、前記汚染物質で汚染された人体を除染するように構成し、前記除染部を構成するテントには、人体の背丈よりも高い天井部分に空気を給気する給気孔を形成するとともに、該テントの側面下部の、人体の足元部に排気孔を形成し、該排気孔にはそれぞれ排気ファンを設け、該テント内において下方向の気流を発生させ、通常は気散しないオゾン水からのオゾンガスが、仮にテント内において気散した場合においても、前記人体が鼻や口から吸引することのないように、該テント内で下方向の気流を発生させるともに、テント内のオゾンガスをテント外に排気すべく構成し、該排気孔と排気ファンの経路には、それぞれオゾン分解触媒を配置し、前記排気孔から排気されるオゾンガスを酸素に戻し、該シャワーから吐出されて除染に用いられたオゾン水は水受に集められ、該水受に開口した排水孔からオゾン水再生経路へ排水するように構成したものである。
【０００８】
請求項２においては、請求項１に記載の除染システムにおいて、前記水受は、該テント内の下部に配置し、該水受上にすのこを載置し、該テント内において、前記すのこ上に汚染物質で汚染された人が立った状態で人体の除染を行い、除染に用いたオゾン水は、該すのこを通って下方の水受側に流れ、前記除染に用いられ、前記水受で集められ排水孔から排出されたオゾン水を、再度除染システムに使用するオゾン水再生経路に、再生部を備えたものである。
【０００９】
請求項３においては、請求項１または請求項２に記載の除染システムにおいて、前記除染システムに使用されるオゾン水に促進酸化処理をおこなう、促進酸化処理部を備えたものである。
【発明の効果】
【００１０】
本発明の効果として、以下に示すような効果を奏する。
【００１１】
即ち、本発明によれば、水によって除染するものに比べて、汚染物質（Ｂ物質またＣ物質で汚染された人体）で汚染された人体を容易に除染することができるとともに、排水の処理を容易におこなうことができる。
【００１２】
また、すのこと水受は、テント内の下部に配置され、該水受上にすのこを載置し、該テント内において、前記すのこ上に汚染物質で汚染された人が立った状態で人体の除染を行い、除染に用いたオゾン水は、すのこを通って下方の水受側に流れ、該水受は、シャワーから吐出されて除染に用いられたオゾン水を集めて、水受に設けた排水孔からオゾン水再生経路に排水するように構成したので、除染に用いたオゾン水が除染される人の足元に溜まって、当該除染される人の足元が除染されないような状態を回避することができる。
【００１３】
また、前記除染部を構成するテントには、人体の背丈よりも高い天井部分に空気を給気する給気孔を形成するとともに、該テントの側面下部の、人体の足元部に排気孔を形成し、該排気孔にはそれぞれ排気ファンを設け、該テント内において下方向の気流を発生させ、通常は気散しないオゾン水からのオゾンガスが、仮にテント内において気散した場合においても、前記人体が鼻や口から吸引することの無いように、該テント内で下方向の気流を発生させるともに、テント内のオゾンガスをテント外に排気すべく構成したので、除染システムでは、排気ファンを動作させることによって、テントの給気孔から空気を給気するとともに、前記テント内の気体を排気孔からテント外に排気する。
このようにして、除染システムでは、排気ファンを動作させることによって、前記テント内の気体をテント外に排気する。
このため、除染システムでは、通常はオゾン水からはオゾンガスが気散しないが、仮に除染部のテント内においてオゾン水からオゾンガスが気散した場合においても、テント内の人が当該オゾンガスを吸引する等して影響を受けないうように、テント内で下方向の気流を発生させるともに、テント内のオゾンガスをテント外に排気することができる。
【００１４】
また、除染部のテント内の気体をテント外に排気可能に構成される。除染システムは、除染部のテント内において下方向の気流が発生するように構成され、オゾン分解触媒を配置したので、除染システムでは、前記テント内のオゾンガスをテント外に排気する際に、当該オゾンガスが酸素に戻されることとなる。
【図面の簡単な説明】
【００１５】
【図１】本発明の実施形態に係る除染システムの全体的な構成を示したブロック図。
【図２】本発明の実施形態に係る除染システムの除染部を示した斜視図。
【図３】同じく斜視図。
【図４】同じく斜視図。
【図５】同じく斜視図。
【図６】本発明の実施形態に係る除染システムの再生部を示したブロック図。
【図７】本発明の実施形態に係る除染システムの全体的な構成を示したブロック図。
【図８】本発明の実施形態に係る除染システムの除染部を示した斜視図。
【図９】除染される人を示した斜視図。
【図１０】同じく斜視図。
【図１１】本発明の実施形態に係る除染システムの除染部の一部を示した模式図。
【図１２】同じく模式図。
【図１３】同じく模式図。
【発明を実施するための形態】
【００１６】
次に、発明の実施形態に係る除染システム１を、図１から図１３を用いて説明する。除染システム１は、種々の汚染物質で汚染された人体を除染するものである。前記種々の汚染物質には、ＮＢＣ（ｎｕｃｌｅａｒ、ｂｉｏｌｏｇｉｃａｌ、ｃｈｅｍｉｃａｌ）物質がある。除染システム１は、図１に示すように、タンク２と、オゾン水生成装置３と、除染部４と、を備える。
【００１７】
除染システム１のタンク２は、原料水（水）が溜められるものである。タンク２に溜められた原料水は、オゾン水生成装置３に供給される。除染システム１のオゾン水生成装置３は、配管を介してタンク２に接続される。オゾン水生成装置３は、タンク２から配管を介して供給される原料水からオゾン水を生成するものである。ここで、オゾン水とは、水にオゾン（Ｏ３）を溶解されてなるものである。オゾン水生成装置３によって生成されたオゾン水は、温度調節装置によって、当該オゾン水を掛けられた人（除染される人）が冷た過ぎるまたは熱すぎる等と感じないような所定の温度に温度調節（例えば、２６度〜４０度に昇温また降温）されて、除染部４に供給される。
【００１８】
除染システム１の除染部４では、汚染物質で汚染された人体の除染がおこなわれる。除染部４は、図１または図２に示すように、テント４１と、シャワー４２と、水受４３と、すのこ４４と、を有する。
【００１９】
除染システム１では、汚染物質で汚染された人体の除染は、除染部４のテント４１内でおこなわれる。除染システム１における除染部４のテント４１は、当該テント４１内で立った状態で、汚染物質で汚染された人体の除染をおこなうことができるように構成される。除染部４のテント４１は、短時間で設営可能に構成される。除染部４のテント４１は、例えば、エアーを吹込むことにより数分間内にドーム状の立体構造とすることができ、また、エアーを抜くことにより折畳むことができるようなエアーテントで構成される。
【００２０】
除染システム１における除染部４のシャワー４２は、配管を介してオゾン水生成装置３に接続されて、温度調節装置によって温度が調節されたオゾン水を吐出可能に構成される。除染部４のシャワー４２は、そのテント４１内に配置される。除染部４のシャワー４２は、そのオゾン水の吐出口がテント４１の天井近傍に配置されて、除染対象である汚染物質で汚染された人体に向かって上方からオゾン水を吐出するように構成される。除染システム１における除染部４の水受４３は、テント４１内に配置される。除染部４の水受４３は、シャワー４２から吐出されたオゾン水を受けて、当該オゾン水（除染に用いたオゾン水）を水受４３の排水孔４３ａから排水するように構成される。除染システム１における除染部４のすのこ４４は、水受４３の上に配置される。このようにして、除染システム１は、除染部４のテント４１内においてすのこ４４の上に汚染物質で汚染された人が立った状態でシャワー４２から吐出されるオゾン水が掛けられて汚染物質で汚染された人体の除染がおこなわれるように構成される。以上のようにして、除染システム１は、オゾン水を掛けることによって汚染物質で汚染された人体を除染するように構成される。
【００２１】
そして、除染システム１では、人体を汚染する汚染物質がＢ（ｂｉｏｌｏｇｉｃａｌ）物質の場合には、Ｂ物質は、前記掛けられたオゾン水によって殺菌されることとなる。人体を汚染する汚染物質がＣ（ｃｈｅｍｉｃａｌ）物質の場合には、Ｃ物質は、前記掛けられたオゾン水によって分解されることとなる。このように、Ｂ物質が殺菌され、また、Ｃ物質が分解されるので、除染システム１によれば、水によって除染するものに比べて、Ｂ物質またはＣ物質で汚染された人体を短時間で除染することができ、且つ、強い水流を要さずにＢ物質またはＣ物質で汚染された人体を除染することができる。したがって、除染システム１によれば、水によって除染するものに比べて、汚染物質（Ｂ物質またＣ物質）で汚染された人体を容易に除染することができる。
【００２２】
また、除染システム１では、人体を汚染する汚染物質がＮ（ｎｕｃｌｅａｒ）物質の場合には、Ｎ物質は、オゾン水におけるコロイドを凝集する作用によって人体から剥離した後に凝集されることとなる。このため、除染システム１では、除染に用いたオゾン水の排水をろ過する際に、目の細かいフィルタを用いることなく、当該凝集されたＮ物質を容易に捕集することができ、当該排水からＮ物質を取除く処理をより容易におこなうことができる。除染システム１では、人体を汚染する汚染物質が抵抗性の弱いＢ物質の場合には、Ｂ物質は消毒されて無害化されるので、前記排水に含まれるＢ物質の消毒処理が不要となる。人体を汚染する汚染物質が抵抗性の強いＢ物質の場合には、オゾン水が掛けられてから排水されていく過程においてＢ物質の消毒が進行するので、前記排水に含まれるＢ物質のその後の消毒処理を容易におこなうことができる。除染システム１では、人体を汚染する汚染物質が易分解性のＣ物質の場合は、Ｃ物質は分解されて無害化されるので、前記排水に含まれるＣ物質の分解処理が不要となる。人体を汚染する汚染物質が難分解性のＣ物質の場合には、オゾン水が掛けられてから排水される過程においてＣ物質の分解が進行するので、前記排水に含まれるＣ物質のその後の分解処理を容易におこなうことができる。したがって、除染システム１によれば、Ｎ物質が凝集され、Ｂ物質が消毒され、また、Ｃ物質が分解されるので、水によって除染するものに比べて、前記排水の処理を容易におこなうことができる。なお、オゾンは短時間で酸素に戻るため、除染システム１では、前記排水に対するオゾンの中和処理は不要である。
【００２３】
また、除染システム１では、除染部４のテント４１内においてすのこ４４の上に汚染物質で汚染された人が立った状態で汚染物質で汚染された人体の除染がおこなわれるため、除染に用いたオゾン水は、すのこ４４を通って下方（水受４３側）に流れることとなる。したがって、除染システム１によれば、除染に用いたオゾン水が除染される人の足元に溜まって、当該除染される人の足元が除染されないような状態を回避することができる。
【００２４】
除染システム１の除染部４は、図３に示すように、門型のシャワー配管４５をテント４１内に配置して備え、門型のシャワー配管４５の上部および側部にそれぞれ単数または複数のシャワー４２・４２・・・を設け、門型のシャワー配管４５の上部および側部の複数箇所からオゾン水を吐出可能に構成してもよい。また、除染部４は、図４に示すように、門型のシャワー配管４５をテント４１内に配置して備え、門型のシャワー配管４５の側部に複数のシャワー４２・４２・・・を設け、門型のシャワー配管４５の側部の複数箇所からオゾン水を吐出可能に構成してもよい。このように除染部４を構成することにより、上方および側方から人体の複数箇所に一度にオゾン水を掛けることができ、汚染物質で汚染された人体の除染をより確実におこなうことができる。除染部４のシャワー配管４５の側部に複数のシャワー４２・４２・・・を配置する構成では、頭部にオゾン水が掛からないようにして、当該頭部の汚染物質の除染を拭取りによっておこなってもよい。
【００２５】
除染システム１における除染部４は、図５に示すように、オゾン水を吐出可能なハンドシャワー４６を備える構成であってもよい。このように構成して、除染部４のハンドシャワー４６からオゾン水を吐出させて、汚染物質で汚染された人体に当該オゾン水を掛けることにより、汚染物質（Ｂ物質またＣ物質）で汚染された人体を、より確実に容易に除染することができる。除染部４は、まず、シャワー４２からエアーまたは水を吐出させて汚染物質で汚染された人にこれを掛けて予備除染をおこない、次いで、シャワー４２からオゾン水による除染をおこなうように構成してもよい。除染部４のテント４１は、柱で天幕を支持する構成であってもよい。除染システム１は、オゾン水生成装置３によって生成されたオゾン水の温度を温度調節装置によって温度調節するのではなく、原料水の温度を温度調節装置によって温度調節する構成としてもよい。除染システム１は、車両に組込まれて移動可能に構成してもよい。
【００２６】
除染システム１は、除染部４のテント４１内の気体をテント４１外に排気可能に構成される。除染システム１は、除染部４のテント４１内において下方向の気流が発生するように構成される。除染部４のテント４１は、図１または図２に示すように、その天井部に給気孔４１ａ・４１ａが形成されるとともに、その側面の下部に排気孔４１ｂ・４１ｂが形成されて構成される。除染部４のテント４１の排気孔４１ｂ・４１ｂには、それぞれ排気ファン４７・４７が設けられる。そして、除染システム１では、排気ファン４７・４７を動作させることによって、テント４１の給気孔４１ａ・４１ａから空気を給気するとともに、前記テント４１内の気体を排気孔４１ｂ・４１ｂからテント４１外に排気する。このようにして、除染システム１では、排気ファン４７・４７を動作させることによって、テント４１内において下方向の気流を発生させて、前記テント４１内の気体をテント４１外に排気する。このため、除染システム１では、通常はオゾン水からはオゾンガスが気散しないが、仮に除染部４のテント４１内においてオゾン水からオゾンガスが気散した場合においても、テント４１内の人が当該オゾンガスを吸引する等して影響を受けないうように、テント４１内で下方向の気流を発生させるともに、テント４１内のオゾンガスをテント４１外に排気することができる。
【００２７】
除染システム１における除染部４のテント４１の排気孔４１ｂ・４１ｂ（排気ファン４７・４７）には、それぞれオゾン分解触媒４８・４８が設けられる。除染部４のオゾン分解触媒４８は、前記除染部４のテント４１の排気孔４１ｂから排気されるオゾンガスを酸素に戻すことができるように構成される。このように構成されることにより、除染システム１では、前記テント４１内のオゾンガスをテント４１外に排気する際に、当該オゾンガスが酸素に戻されることとなる。また、除染システム１における除染部４のテント４１の給気口と排気口とに、それぞれヘパフィルターを配置してもよい。
【００２８】
除染システム１は、図１に示すように、再生部５を備える。除染システム１の再生部５では、前記排水（除染に用いたオゾン水の排水）が原料水に再生される。再生部５は、図６に示すように、粗フィルタ５１と、活性炭吸着フィルタ５２と、逆浸透膜浄化装置５３と、汚れセンサ５４と、を有する。
【００２９】
除染システム１における再生部５の粗フィルタ５１は、前記排水から粒径の大きい不純物（ゴミ、および、前記凝集されたＮ物質等）を取除くものである。再生部５の活性炭吸着フィルタ５２は、粗フィルタ５１の下流側に配置される。再生部５の活性炭吸着フィルタ５２は、前記粗フィルタ５１で取除けなかった粒径の小さい不純物を前記排水から取除くものである。再生部５の逆浸透膜浄化装置５３は、活性炭吸着フィルタ５２の下流側に配置される。再生部５の逆浸透膜浄化装置５３は、前記活性炭吸着フィルタ５２で不純物が取除かれた排水を、原料水として再利用できるような水質に浄化する。再生部５の汚れセンサ５４は、前記逆浸透膜浄化装置５３によって浄化された排水の浄化度合（汚れ度合）を検知するものである。
【００３０】
このようにして、除染システム１の再生部５では、再生部５の粗フィルタ５１および活性炭吸着フィルタ５２によって、前記排水から不純物が取除かれ、再生部５の逆浸透膜浄化装置５３によって前記不純物が取除かれた排水が浄化され、再生部５の汚れセンサ５４によって前記浄化された排水の浄化度合（汚れ度合）が検知される。そして、再生部５の汚れセンサ５４によって検知された排水の浄化度合が所定の基準値を満たしている場合には、当該排水は、タンク２に供給されて原料水として再利用される。
【００３１】
以上のようにして、除染システム１では、前記排水が、再生部５において原料水に再生されて、タンク２に供給されて再利用される。このため、除染システム１では、多量の原料水を確保することを要さずに、汚染物質で汚染された人体の除染を多量におこなうことができる。したがって、除染システム１によれば、原料水を確保（補給）することが困難な状態でも、汚染物質で汚染された多量の人体の除染をおこなうことができる。
【００３２】
また、除染システム１では、Ｎ物質が凝集され、Ｂ物質が消毒され、また、Ｃ物質が分解されるので、水によって除染するものに比べて、再生部５における前記排水の原料水への再生を容易におこなうことができる。
【００３３】
なお、除染システム１における再生部５の汚れセンサ５４によって検知された排水の浄化度合が所定の基準値を満たしていない場合には、当該排水は、廃水として廃水槽６に供給される。そして、前記廃水槽６に供給された廃水は、その下流側の廃水処理装置７で廃水処理（凝集されたＮ物質を取除く処理、Ｂ物質の消毒処理、または、Ｃ物質の分解処理）がおこなわれて、廃棄されることとなる。
【００３４】
また、除染システム１は、図７に示すように、オゾン水に促進酸化処理をおこなう促進酸化処理部８を備えて構成してもよい。促進酸化処理部８では、オゾン水生成装置３によって生成されたオゾン水が除染部４のシャワー４２から吐出される前に、オゾン水に促進酸化処理がおこなわれる。
【００３５】
このようにオゾン水に促進酸化処理をおこなう促進酸化処理部８を備える構成とすることにより、除染システム１では、オゾン水による汚染物質の除染効果が高まるため、水によって除染するものに比べて、汚染物質（Ｂ物質またＣ物質）で汚染された人体をさらに容易に除染することができる。また、このようにオゾン水に促進酸化処理をおこなう促進酸化処理部８を備える構成とすることにより、除染システム１では、オゾン水内においてＯＨラジカル等の活性種が生成され、オゾン水によるコロイドを凝集する作用等が向上する。このため、除染システム１では、人体を汚染する汚染物質がＮ物質の場合には、より確実にＮ物質が凝集されることとなり、前記排水をろ過する際に、より容易にＮ物質を捕集することができ、当該排水からＮ物質を取除く処理をより容易におこなうことができる。
【００３６】
除染システム１の促進酸化処理部８においてオゾン水に促進酸化処理をおこなう方法として、オゾン水に添加剤（例えば、過酸化水素、また、界面活性剤等）を加えるものがある。このように促進酸化処理部８においてオゾン水に促進酸化処理をおこなう場合には、例えば、除染部４のシャワー４２から吐出される直前にオゾン水に当該添加剤を加えるようにする。また、促進酸化処理部８においてオゾン水に促進酸化処理をおこなう方法として、オゾン水に紫外線を照射するものがある。このように促進酸化処理部８においてオゾン水に促進酸化処理をおこなう場合には、例えば、除染部４のシャワー４２から吐出される直前の配管に紫外線を透過可能な石英ガラスを用いる。そして、紫外線ランプから前記配管内に向かって紫外線を照射することによって、当該配管内を流れるオゾン水に紫外線を照射するようにする。
【００３７】
除染システム１における除染部４は、汚染物質で汚染された複数の人体の除染を同時におこなうことが可能に構成してもよい。このような構成の場合、例えば図８に示すように、除染部４のテント４１は、複数の人が並んで同時に中に入ることができるような横長状に構成される。除染部４のテント４１は、長手方向の一端部を入口とし、他端部を出口として構成される。除染部４の水受４３およびすのこ４４は、テント４１の長手方向に沿ってテント４１の入口近傍から出口近傍に亘るようにそれぞれ配置される。除染部４のシャワー４２は、テント４１の長手方向に沿ってテント４１の入口近傍から出口近傍に亘って複数台のシャワー４２・４２・・・が配置される。このように構成される除染システム１では、汚染物質で汚染された人は、除染部４のテント４１の入口からテント４１内に入ってからテント４１の出口に至る間に、複数台配置されたシャワー４２・４２・・・のうち入口側に配置されるシャワー４２から順次オゾン水が掛けられて除染される。そして、このように構成される除染システム１では、汚染物質で汚染された複数の人が並んで除染部４のテント４１の入口からテント４１内に順次入っていき、テント４１の出口から順次出ていくことによって、汚染物質で汚染された複数の人体の除染を同時におこなうことができる。なお、この際、除染部４における複数台配置されたシャワー４２・４２・・・のうちテント４１の入口側のシャワー４２でエアーまたは水による予備除染をおこない、テント４１の出口側のシャワー４２でオゾン水による除染をおこなうように構成してもよい。
【００３８】
汚染物質で汚染された人に、ゴーグル９と口マスク１０とをそれぞれ装着させた状態で、除染システム１の除染部４で汚染物質の除染をおこなうようにしてもよい（図９参照）。また、汚染物質で汚染された人に、顔面を覆うようなガスマスク１１を装着させた状態で、除染システム１の除染部４で汚染物質の除染をおこなうようにしてもよい（図１０参照）。このようにすることにより、通常はオゾン水からはオゾンガスが気散しないが、仮に除染部４のテント４１内においてオゾン水からオゾンガスが気散した場合においても、汚染物質で汚染された人がオゾンガスを吸引する等によって影響を受けることなく、汚染物質の除染をおこなうことができる。
【００３９】
除染システム１の除染部４は、排気管内にシャワー４２を配置し、シャワー４２におけるオゾン水の吐出口の下方に形成される排気管の開口から除染部４のテント４１内の気体を吸引してテント４１外に排気可能に構成してもよい。例えば図１１に示すように、除染部４は、横方向に配置される排気管６１内に排気ファン６２とシャワー４２とが配置され、排気管６１の下面の一部に開口６１ａが形成されて構成される。排気管６１の開口６１ａは、シャワー４２の吐出口の近傍の下方（オゾン水の吐出口の下方）に形成される。そして、除染部４は、排気ファン６２を動作させることによって、排気管６１の開口６１ａから、除染部４のテント４１内の気体を吸引し、排気管６１を介してテント４１内の気体をテント４１外に排気するように構成される。このため、除染システム１では、通常はオゾン水からはオゾンガスが気散しないが、仮に除染部４のテント４１内においてオゾン水からオゾンガスが気散した場合においても、テント４１内の人が当該オゾンガスを吸引する等して影響を受けないうように、排気管６１の開口６１ａから除染部４のテント４１内のオゾンガスを吸引し、排気管６１を介してテント４１内のオゾンガスをテント４１外に排気することができる。なお、除染部４は、シャワー４２から吐出されるオゾン水を排気管６１の開口６１ａから排気管６１外に吐出するように構成される。
【００４０】
また例えば、図１２に示すように、除染部４は、縦方向に配置される排気管７１内に排気ファン（不図示）とシャワー４２とが配置されて構成される。排気管７１の下方の開口７１ａは、シャワー４２の吐出口の近傍の下方（オゾン水の吐出口の下方）に配置される。そして、除染部４は、排気ファン（不図示）を動作させることによって、排気管７１の開口７１ａから、除染部４のテント４１内の気体を吸引し、排気管７１を介してテント４１内の気体をテント４１外に排気するように構成される。このため、除染システム１では、通常はオゾン水からはオゾンガスが気散しないが、仮に除染部４のテント４１内においてオゾン水からオゾンガスが気散した場合においても、テント４１内の人が当該オゾンガスを吸引する等して影響を受けないうように、排気管７１の開口７１ａから除染部４のテント４１内のオゾンガスを吸引し、排気管７１を介してテント４１内のオゾンガスをテント４１外に排気することができる。なお、除染部４は、シャワー４２から吐出されるオゾン水を排気管７１の開口７１ａから排気管７１外に吐出するように構成される。
【００４１】
また例えば、図１３に示すように、除染部４は、横方向に配置される排気管８１内に排気ファン８２と門型のシャワー配管４９の上部が配置され、排気管８１の下面に複数の開口８１ａ・８１ａ・・・が形成されて構成される。排気管８１の開口８１ａは、シャワー配管４９の吐出口４９ａの近傍の下方（オゾン水の吐出口の下方）に形成される。そして、除染部４は、排気ファン８２を動作させることによって、排気管８１の複数の開口８１ａ・８１ａ・・・から除染部４のテント４１内の気体を吸引し、排気管８１を介してテント４１内の気体をテント４１外に排気するように構成される。このため、除染システム１では、通常はオゾン水からはオゾンガスが気散しないが、仮に除染部４のテント４１内においてオゾン水からオゾンガスが気散した場合においても、テント４１内の人が当該オゾンガスを吸引する等して影響を受けないうように、排気管８１の開口８１ａから除染部４のテント４１内のオゾンガスを吸引し、排気管７１を介してテント４１内のオゾンガスをテント４１外に排気することができる。なお、除染部４は、排気管８１の開口８１ａ・８１ａから門型のシャワー配管４９の吐出口４９ａ・４９ａから吐出されるオゾン水を排気管８１外に吐出するように構成される。また、除染部４における門型のシャワー配管４９は、その上部に複数のオゾン水の吐出口４９ａ・４９ａが下方に向かって開口されて構成される。
【符号の説明】
【００４２】
１    除染システム
２    タンク
３    オゾン水生成装置
４    除染部
５    再生部
４１  テント
４２  シャワー
４３  水受
４４  すのこ
【図１】
0005775393.tif 000002
【図２】
0005775393.tif 000003
【図３】
0005775393.tif 000004
【図４】
0005775393.tif 000005
【図５】
0005775393.tif 000006
【図６】
0005775393.tif 000007
【図７】
0005775393.tif 000008
【図８】
0005775393.tif 000009
【図９】
0005775393.tif 000010
【図１０】
0005775393.tif 000011
【図１１】
0005775393.tif 000012
【図１２】
0005775393.tif 000013
【図１３】
0005775393.tif 000014